(57)【要約】【課題】要介護者を介護人が楽な姿勢で介護でき、要介護者が介護人による補助なしに自力で立ち上がる姿勢をとり得る簡便な介護用ベッドの提供。【解決手段】下部フレーム１の上部に、昇降可能な台枠２を介して床板フレーム３を設ける。床板フレーム３は、使用者の臀部を支持する中央レスト部３１と、使用者の上半身を支持すると共に台枠２の降下動作に連動して倒伏姿勢から起立姿勢に変換する上体レスト部３２と、使用者の下腿部を支持する屈曲自在な下腿レスト部３３とを備える。台枠２には、この降下動作に連動して下腿レスト部３３の下方位置から中央レスト部３１側に移動するスライドフレーム６を付設する。下部フレーム１には、台枠２の降下動作に連動してスライドフレーム６が中央レスト部３１側に移動するとき、下腿レスト部３３を屈曲させながらその先端部を中央レスト部３１の下側に移動案内するガイドレール１２を設ける。【選択図】図１
2007130055.tif 000002
【特許請求の範囲】
【請求項１】
下部フレームの上部に、駆動源からの伝達動力により水平状を保ったまま昇降される台枠を介して床板フレームを設けた介護用ベッドであり、
前記床板フレームは、台枠の一端部上にあって使用者の臀部を支持する中央レスト部と、該中央レスト部の一端側に連なって使用者の上半身を支持すると共に前記台枠の降下動作に連動して倒伏姿勢から起立姿勢に変換する上体レスト部と、前記中央レスト部の他端側に連なって使用者の下腿部を支持する屈曲自在な下腿レスト部とを備え、
前記台枠には、下腿レスト部が下部フレーム側に屈曲することを許容するべく該台枠の降下動作に連動して下腿レスト部の下方位置から中央レスト部側に移動するスライドフレームが付設され、
前記下部フレームには、台枠の降下動作に連動してスライドフレームが下腿レスト部の下方位置から中央レスト部側に移動するとき、下腿レスト部を屈曲させながらその先端部を中央レスト部の下側に移動案内するガイドレールが設けられることを特徴とする介護用ベッド。
【請求項２】
ガイドレールが下部フレームの両側内壁面に相対向して固設されると共に、下腿レスト部の幅方向両側には前記ガイドレールに転がり接触する転動ローラが設けられることを特徴とする請求項１記載の介護用ベッド。
【請求項３】
台枠の降下動作中、使用者の上腿部が迫り上げられるように中央レスト部とスライドフレームとの部位を繋ぐスイングアームを備えることを特徴とする請求項１、又は２記載の介護用ベッド。
【発明の詳細な説明】
【技術分野】
【０００１】
本発明は、主として身障者や病弱な高齢者などの要介護者を対象とする介護用ベッドに係わり、特に要介護者（使用者）が身体機能を回復するために自立歩行することを支援する介護用ベッドに関する。
【背景技術】
【０００２】
一般に、身障者や病弱な高齢者をはじめ、術後の入院患者などは床内での生活を余儀なくされるが、寝たきりの時間が長くなると身体機能の低下が進行するので、筋力の衰えを回復させたり、大脳に刺激を与えたりするためには歩行訓練が極めて有効であるとされている。
【０００３】
しかし、身体に大きな機能障害を抱えた者では、自ら起き上がることはできないし、食事、排泄、入浴などの際にも身内や専門の介護士による介護を必要とする。
【０００４】
従来、そのような要介護者を対象として、要介護者をベッド脇に配した湯船や車椅子の位置に移動させるための介護用リフト、あるいはリクライニング機能を有した介護用ベッドなどの種々の介護用装置が実用化されている。
【０００５】
特に、要介護者が立ち上がる際の負担を軽減する介護用ベッドとして、背部フレームと座部フレームと下腿部フレームとを含む折り曲げ可能な床フレーム体を備え、その床フレーム体がフラットな状態から折れ曲がった状態に変化し、折れ曲がった状態で要介護者の足が着地するようにしたものが知られる（例えば、特許文献１）。
【０００６】
又、ベースフレーム上に昇降可能なサイドフレームを設けると共に、サイドフレームのヘッド側とフット側にそれぞれスライドフレームを挿入し、それらスライドフレームとサイドフレームとにより形成されるベッド床面上に、ヒンジ接続される背上げフレーム、第１膝上げフレーム、及び第２膝上げフレームを設け、ソファーとして使用可能にした可搬型介護用ベッドが知られる（例えば、特許文献２）。
【０００７】
更に、ベッドの本体上部にすべり手段を具備し、そのすべり手段を介して要介護者の仰臥するマットレス等の臥寝用具がベッドの長手方向に移動可能とされる介護用ベッドが知られる（例えば、特許文献３）。
【０００８】
【特許文献１】実開平６−６４６３５号公報
【０００９】
【特許文献２】特開２００１−１９８１６５号公報
【特許文献３】特開２００３−６５５号公報
【発明の開示】
【発明が解決しようとする課題】
【００１０】
しかしながら、介護用ベッドは介護人による介護負担を軽減させるために床面の高さが通常のベッドよりも高く設定されるのが通例であるのに対し、特許文献１のように床フレーム体を折り曲げただけで足が着地するものではフラット状態における床フレーム体の高さが低くなり、このため要介護者を抱え上げたり、オムツを交換したりするなどに際して介護人は無理な姿勢を余儀なくされるという問題がある。
【００１１】
又、特許文献１によれば、要介護者の臀部を支持する水平状の座部フレームに対し、下腿部フレームが下方に直角に折れ曲がるので、要介護者が立ち上がる際には身体の重心が座部フレーム上にあって足の踏ん張りが利かず、介護人の補助なしには立ち上がることはできない。
【００１２】
一方、特許文献２の介護用ベッドによれば、ベッド床面が昇降可能とされる構造にしてソファーとしての使用が可能とされるが、ベッドからソファーへの転換は自動的に行われるものでなく、サイドフレームからフット側のスライドフレームを抜き取り、その状態で背上げフレームを起こしながらフット側へスライドさせることにより、フット側の第２膝上げフレームがサイドフレームから直角に垂れ下がり、以って要介護者が足を垂らして座ることのできるソファー形態となることから、要介護者の足は着地せず、着地できたとしても、その着地位置は第２膝上げフレームより前方となるため、第１膝上げフレーム上に着座する要介護者は特許文献１と同じく自力で立ち上がることはできない。
【００１３】
又、特許文献３の介護用ベッドは、昇降機能を有するものでなく要介護者の仰臥する高さが一定とされるものであるから、その高さを低く設定した場合には横臥状態の要介護者を介護するにあたり介護人が無理な姿勢を強いられ、高さを高く設定した場合には要介護者がベッド上に着座しても足を着地させることができないという欠点を有する。
【００１４】
尚、特許文献３では、要介護者の上半身を起き上がらせた状態で足がベッド下に着地するようになっているが、これには臥寝用具の片側半分を手動により立ち上げることから介護人の肉体的負担が大きく、しかも要介護者の足を着地させるべく臥寝用具をすべり手段に沿って要介護者の足側に大きくスライドさせる必要があることから、狭い室内では要介護者の足が着地前に室内の壁面などに突き当たってしまう虞がある。
【００１５】
本発明は以上のような事情に鑑みて成されたものであり、その主たる目的は横臥状態の要介護者を介護人が楽な姿勢で介護することができ、しかも狭い室内に配置しながら要介護者が介護人による補助なしに自力で立ち上がる姿勢をとり得る簡便な介護用ベッドを提供することにある。
【課題を解決するための手段】
【００１６】
本発明は上記目的を達成するため、下部フレームの上部に、駆動源からの伝達動力により水平状を保ったまま昇降される台枠を介して床板フレームを設けた介護用ベッドであり、前記床板フレームは、台枠の一端部上にあって使用者の臀部を支持する中央レスト部と、該中央レスト部の一端側に連なって使用者の上半身を支持すると共に前記台枠の降下動作に連動して倒伏姿勢から起立姿勢に変換する上体レスト部と、前記中央レスト部の他端側に連なって使用者の下腿部を支持する屈曲自在な下腿レスト部とを備え、前記台枠には、下腿レスト部が下部フレーム側に屈曲することを許容するべく該台枠の降下動作に連動して下腿レスト部の下方位置から中央レスト部側に移動するスライドフレームが付設され、前記下部フレームには、台枠の降下動作に連動してスライドフレームが下腿レスト部の下方位置から中央レスト部側に移動するとき、下腿レスト部を屈曲させながらその先端部を中央レスト部の下側に移動案内するガイドレールが設けられることを特徴とする。
【００１７】
又、以上のような介護用ベッドにおいて、ガイドレールが下部フレームの両側内壁面に相対向して固設されると共に、下腿レスト部の幅方向両側には前記ガイドレールに転がり接触する転動ローラが設けられることを特徴とする。
【００１８】
加えて、台枠の降下動作中、使用者の上腿部が迫り上げられるように中央レスト部とスライドフレームとの部位を繋ぐスイングアームを備えることを特徴とする。
【発明の効果】
【００１９】
本発明によれば、台枠が昇降可能とされることから、その上昇によりベッドの使用者たる要介護者を高い位置に横臥させたまま、衣類の着替えや体の汗拭きといった世話を、介護人が腰を屈めず楽な姿勢で行うことができる。このため介護人の肉体的負担を軽減することができる。
【００２０】
又、台枠の降下動作に連動して、上体レスト部が起立されるほか、スライドフレームが下腿レスト部の下方位置から退いて当該下腿レスト部の屈曲が許容されるようにしていることから、使用者（要介護者）の横臥位置を高く設定しながら、使用者が起き上がる際には使用者の足をベッド上から大きく張り出す状態にすることなく下部フレームの設置領域内に着地させることができる。
【００２１】
特に、ガイドレールに沿って下腿レスト部が下部フレーム側に屈曲されながらその先端部が中央レスト部の下側に移動案内されることにより、下腿レスト部が使用者の足の踏み場を覆ってしまうことが防止されるため、使用者は下肢を鋭角状に折り曲げて中央レスト部の下方位置で足を着地させることができる。従って、介護人の助けを借りずに使用者が自ら立ち上がり、歩行訓練を積極的に行って身体機能の低下を早期に回復させることができる。
【００２２】
更に、上体レスト部の起立動作やスライドフレームの移動が台枠の降下動作に連動することから、多数のモータを用いず低コスト化を図ることができる。
【００２３】
加えて、ガイドレールが下部フレームの両側内壁面に相対向して固設され、下腿レスト部の両側面にはガイドレールに転がり接触する転動ローラが設けられることから、下腿レスト部をガイドレールに沿って円滑に屈曲させることができる。
【００２４】
更に、中央レスト部とスライドフレームとの部位を繋ぐスイングアームを備え、台枠の降下動作中に使用者の上腿部が迫り上げられるようにしていることから、台枠の降下中に使用者の臀部が下腿レスト部側に滑り動いてしまうことがない。
【発明を実施するための最良の形態】
【００２５】
以下、図面に基づき本発明を詳しく説明する。先ず、図１により本発明に係る介護用ベッドの基本的構成を説明すれば、１は左右一対の側板１１を含んで構成される下部フレームであり、その上部には水平状態に支持される昇降可能な台枠２を介して横臥状態の使用者Ｍを支持するための床板フレーム３が設けられる。尚、床板フレーム３上にはマットレスなどの柔軟性を有する布団４が敷かれ、これが床板フレーム３に対してベルトなどで固定されるようにしてある。
【００２６】
ここで、下部フレーム１と台枠２は、互いの両側面がリンク５Ａ，５Ｂ，５Ｃにより繋がれるが、それらリンク５Ａ〜５Ｃは、下部フレーム１および台枠２との結節点Ｐ１，Ｐ２の距離が全て等しく、しかも結節点Ｐ１，Ｐ２の区間が何れも平行とされるものであり、これにより台枠２が水平状態を保ったまま上下に平行移動（昇降）することのできる平行クランク機構が構成される。
【００２７】
尚、リンク５Ｂ，５Ｃには、結節点Ｐ１，Ｐ２の中間部分から後方に延びる腕部５Ｄ，５Ｅが一体に形成され、それら腕部５Ｄ，５Ｅの先端が互いに平行するリンク５Ｆ，５Ｇを介してスライドフレーム６に連結される構成としてある。
【００２８】
そのスライドフレーム６は、台枠２の内側に付設される部材であり、これは両側面に移動用の案内ローラ６１を有して台枠２の長手方向に沿って移動可能とされ、その先端には床板フレーム３の後部側を支持する圧接ローラ６２が設けられる。
【００２９】
一方、床板フレーム３は、台枠２の一端部上にあって使用者Ｍの臀部を支持する中央レスト部３１と、中央レスト部の一端側に連なって使用者Ｍの上半身（頭部及び背中）を支持する上体レスト部３２と、中央レスト部の他端側に連なって使用者Ｍの下腿部を支持する下腿レスト部３３とから構成され、上体レスト部３２にはＬ字形を成す上記リンク５Ｃの長辺部分が固着されている。尚、上体レスト部３２の一端底面には、リンク５Ｃに作用する負荷を軽減するために支持脚３４が突設され、その支持脚３４が台枠２の一端上面部に密着するようにしてある。
【００３０】
又、中央レスト部３１と上体レスト部３２および中央レスト部３１と下腿レスト部３３は、それぞれヒンジを介して屈曲自在に連結されており、中央レスト部３１と下腿レスト部３３とを連ねるヒンジの軸部には、台枠２の一端部上に形成される台形状の受座２１Ａにより支持されるローラ３５が取り付けられる。
【００３１】
特に、中央レスト部３１は、下腿レスト部３３との連結部分がスイングアーム７によりスライドフレーム６の部位に繋がれており、そのスイングアーム７により、台枠２の降下動作中に中央レスト部３１が上体レスト部３２との連結部分を中心に上下に揺動されて、使用者Ｍの上腿部が一時的に迫り上げられるようになっている。尚、スライドフレーム６にはスイングアーム７を接続する軸部６３が取り付けられ、スイングアーム７には軸部６３を通す長孔７１が穿設される。ここに、長孔７１は図示せぬピースを嵌め込むなどして長さ調整が可能とされており、これにより台枠２の降下動作中におけるスイングアーム７の揺動動作量、ひいては使用者Ｍの上腿部の迫り上げ量を適宜変更できる構成とされている。
【００３２】
又、下腿レスト部３３は、複数枚（図示例において２枚）の板材３３Ａ，３３Ｂをヒンジ結合することにより屈曲自在とされており、その左右両側には下部フレーム１に設けられる円弧状のガイドレール１２に対応して転動ローラ３６が取り付けられる。更に、下腿レスト部３３の底面には、中央レスト部３１の底面一端部まで延びる凸条３７が形成され、その凸条３７が上記圧接ローラ６２により支持されるようにしてある。
【００３３】
ここに、８は下部フレーム１の長手方向一端部に固設される駆動源（減速機付モータ）、８１は駆動源８により正逆に回転駆動されるネジ軸であり、このネジ軸８１は下部フレーム１の長手方向に沿ってその内側中央部分に回転自在に設けられ、これに螺合するスライドナット８２がリンク５Ｈを介して床板フレームを構成する上体レスト部３２に連結されるようになっている。
【００３４】
しかして、ネジ軸８１の回転駆動によってスライドナット８２が図１の左方に移動すると、リンク５Ｈを通じて床板フレーム３が図１の左方に押され、更にリンク５Ｃを通じて該リンクと台枠２との結節点Ｐ２が図１の左方に押圧されるために、各リンク５Ａ〜５Ｃが下部フレーム１との結節点Ｐ１を中心に図１の反時計回りに旋回されつつ台枠２の降下動作が行われる。又、このときリンク５Ｃの旋回動作によりこれに結合する上体レスト部３２が倒伏姿勢から起立姿勢に変換されるほか、リンク５Ｂ，５Ｃの腕部５Ｄ，５Ｅに連接するリンク５Ｆ，５Ｇを通じてスライドフレーム６が図１の右方に引き込まれる。
【００３５】
この結果、スライドフレーム６は、圧接ローラ６２を介して下腿レスト部３３を支持しながら下腿レスト部３３の下方位置から中央レスト部３１側に移動し、圧接ローラ６２が板材３３Ａ，３３Ｂの連結部分を通過したときには下腿レスト部３３の先端側（板材３３Ａ）が自重により下部フレーム１側に屈曲して垂下するようになる。
【００３６】
この段階で、台枠２は降下途上にあって降下動作が続行されるのであり、このため屈曲した下腿レスト部３３の先端部における転動ローラ３６がガイドレール１２に転がり接触し、そのガイドレール１２により下腿レスト部３３が屈曲されつつ該下腿レスト部の先端部が中央レスト部３１の下側に移動案内されるようになる。
【００３７】
尚、台枠２の降下動作中には、これに連動するスライドフレーム６の移動により、そのスライドフレーム６にスイングアーム７で繋がれる中央レスト部３１が、上記の如く上体レスト部３２との連結部分を中心として上下に揺動される。これによれば、使用者Ｍの上腿部が図２のように迫り上げられるために、上体レスト部３２の起立動作によって使用者Ｍの臀部が下腿レスト部３３側に滑り動くのを防止することができる。
【００３８】
次に、図３は以上のような台枠の降下動作が終了した状態を示す。この図で明らかなように、本発明に係る介護用ベッドによれば、台枠２の降下により床板フレーム３が折れ曲がって中央レスト部３１を座面とする椅子形になり、この状態では使用者Ｍが下肢（脚部）を鋭角状に折り曲げて中央レスト部３１の下方位置で足を着地させることを許容されるのであり、このため使用者Ｍは身体の重心を前方に移して介護人の助けを借りずに自力で立ち上がることが可能となる。
【００３９】
尚、図３に示す椅子形の状態では食事をすることもでき、中央レスト部３１に便器を装着すれば排便を行うことも可能になる。一方、図３の状態で駆動源８を上記の逆方向に駆動すれば、台枠２が上昇動作に移行して床板フレーム３が図１のようにフラット状となり、以ってベッドの形態に復帰することになるが、図１に示されるベッドの形態では、床板フレーム３の高さが６０〜７０ｃｍになるよう設定されるのであり、これによれば横臥した使用者Ｍの着替えやマッサージなどを介護人が楽な姿勢で行うことができる。
【００４０】
次に、以上のような介護用ベッドを構成する各部材の具体的構造について説明する。先ず、図４〜図５により下部フレーム１の構造を説明すれば、係る下部フレーム１は左右一対の側板１１，１１の間に複数の連結軸１３を架設することにより構成される。そして、所定の連結軸１３の中央にはブラケット１４が固設され、そのブラケット１４に上記ネジ軸８１の先端部分を回転自在に支持する軸受１５が固設される構成としてある。又、ガイドレール１２は、下部フレーム１の一端側（使用者の足元側後部）で両側板１１，１１の内壁面に相対向して固設される。尚、側板１１の上部には図１に示したリンク５Ａ〜５Ｃとの結節点Ｐ１と成す孔が穿設される。
【００４１】
次に、台枠２の構造を図６〜図７に示して説明すれば、係る台枠２は左右一対のビーム２１を桁材２２で連結することにより構成される。本例において、ビーム２１はコ字形の断面を有する溝型鋼で成り、その一端部上に上記の受座２１Ａが固設されている。尚、ビーム２１には図１に示したリンク５Ａ〜５Ｃとの結節点Ｐ２と成す孔が穿設され、ビーム２１内では上記スライドフレーム６の側面に設けた案内ローラ６１が転動自在に支持されるようになっている。
【００４２】
図８〜図９に示すように、スライドフレーム６は左右一対の内壁板６４とその外側に設けられる外壁板６５とを有する枠組みで、その外壁板６５に上記案内ローラ６１が設けられると共に、内壁板６４の一端に上記圧接ローラ６２が設けられる構成とされる。又、内壁板６４と外壁板６５との間には、図１に示したスイングアームの長孔７１内に通すための軸部６３が架設され、外壁板６５の内側には図１に示したリンク５Ｆ，５Ｇの一端を接続するためのピン６６が突設される。尚、図８〜図９において、６７は左右一対の内壁板６４，６４の間に架設される補強板である。
【００４３】
次に、図１０〜図１２により床板フレーム３の構造について説明すると、中央レスト部３１、上体レスト部３２、及び下腿レスト部３３は、それぞれ扁平な鋼板で成り、このうち上体レスト部３２は、中央レスト部３１や下腿レスト部３３よりも稍幅広とされ、その底面中央部分には図１に示したリンク５Ｈの一端を接続するためのブラケット３８が形成される。又、凸条３７は、スライドフレーム６の圧接ローラ６２に対応して２つ並列に形成される。尚、図１０、図１１において、Ｈ１は中央レスト部３１と上体レスト部３２とを連結するヒンジ、Ｈ２は中央レスト部３１と下腿レスト部３３とを連結するヒンジ、Ｈ３は下腿レスト部を構成する板材３３Ａ，３３Ｂを連結するヒンジであり、ヒンジＨ２の中心軸には上記ローラ３５が取り付けられ、ヒンジＨ３の中心軸および板材３３Ａの端面に固設した軸には上記ガイドレール１２に転がり接触する転動ローラ３６が取り付けられる。
【００４４】
以上、本発明について説明したが、係る介護用ベッドは上記のような構成に限定されるものでなく、例えば下腿レスト部３３を複数の帯状乃至は棒状の部材を並列に連ねた簀状の形態とするなどしてもよい。又、台枠２を昇降させる手段としてパンタグラフ状の昇降機を用いてもよく、この場合でもリンク機構を利用するなどして台枠２の昇降動作にスライドフレーム６や上体レスト部３２を連動させることができる。
【図面の簡単な説明】
【００４５】
【図１】本発明に係る介護用ベッドの基本構造を示す側面図（台枠の上昇時の状態）
【図２】台枠の降下動作中の状態を示す説明図
【図３】台枠が降下した状態を示す説明図
【図４】下部フレームの一端部を示す側面図
【図５】下部フレームの正面図
【図６】台枠の側面図
【図７】台枠の正面図
【図８】スライドフレームの平面図
【図９】スライドフレームを部分的に破断して示した正面図
【図１０】床板フレームの側面図
【図１１】床板フレームの平面図
【図１２】床板フレームの正面図
【符号の説明】
【００４６】
１  下部フレーム
１１  側板
１２  ガイドレール
２  台枠
３  床板フレーム
３１  中央レスト部
３２  上体レスト部
３３  下腿レスト部
３６  転動ローラ
３７  凸条
４  布団
５Ａ〜５Ｃ  リンク
６  スライドフレーム
６１  案内ローラ
６２  圧接ローラ
７  スイングアーム
【図１】
2007130055.tif 000003
【図２】
2007130055.tif 000004
【図３】
2007130055.tif 000005
【図４】
2007130055.tif 000006
【図５】
2007130055.tif 000007
【図６】
2007130055.tif 000008
【図７】
2007130055.tif 000009
【図８】
2007130055.tif 000010
【図９】
2007130055.tif 000011
【図１０】
2007130055.tif 000012
【図１１】
2007130055.tif 000013
【図１２】
2007130055.tif 000014